(57)【特許請求の範囲】
【請求項１】
軸線方向に延在する中芯が設けられた筆記具において、
前記中芯の後端に着脱自在に取り付けられたスライダと、
前記スライダが前記軸線方向に摺動自在に装着されたベース部と、
前記ベース部に対して前記軸線方向に移動自在に連結されたカバー部と、
前記カバー部の前端側に固定されたキャップと、
前記スライダに一端が固定されて、前記カバー部に他端が固定されると共に、前記ベース部の後端側に設けられた滑り部に途中が折り返されるように掛けられた架渡し部と、を備え、
前記ベース部の後端側には、前記軸線に対して直交する方向に突出する軸部が設けられ、前記カバー部の後端側には、前記軸線方向に延在して前記軸部が挿入される長溝が設けられ、
前記カバー部が前記ベース部に対して前記軸線方向に移動可能であると共に前記ベース部に対して前記軸部を中心にして回動可能であるように、前記カバー部及び前記ベース部が前記軸部と前記長溝とによって連結されている、ことを特徴とするキャップ付き筆記具。
【請求項２】
前記スライダの後端を前方に向かって付勢するバネ部材を備えたことを特徴とする請求項１記載のキャップ付き筆記具。
【請求項３】
前記バネ部材は、圧縮コイルバネとして構成され、前記架渡し部は前記圧縮コイルバネ内に挿入されて前記滑り部に掛けられていることを特徴とする請求項２記載のキャップ付き筆記具。
【請求項４】
前記長溝は、前記キャップの着脱に供するように前記カバー部を前記軸線方向に案内するキャップ着脱領域と、前記キャップ着脱領域の後端に位置して前記軸部を中心に前記カバー部を回動させるキャップ揺動部と、前記長溝の全長に渡って延在して前記カバー部を前記軸線に対して所定角度をもって進退させるキャップ傾動領域と、を有することを特徴とする請求項１〜３の何れか一項に記載のキャップ付き筆記具。
【請求項５】
前記ベース部には、前記キャップに設けられたガイド突起を案内するガイド溝が形成され、
前記ガイド溝は、
前端側に向かって前記軸線方向に延在する第１のガイド溝と、
一端側で前記第１のガイド溝の前端に連通して、前記軸線から離間する方向に延在する第２のガイド溝と、
前記第２のガイド溝の他端側に連通すると共に、後端側に向かって前記軸線方向に延在する第３のガイド溝と、を有することを特徴とする請求項１〜４の何れか一項に記載のキャップ付き筆記具。
【請求項６】
前記スライダには前記軸線に対して直交する方向に突出する係止突起が設けられ、前記カバー部には、前記スライダが最前位置で前記係止突起に引っ掛かる掛け止め部が設けられ、前記ガイド溝は、前記第３のガイド溝の後端側に連通する第４のガイド溝を有し、前記第４のガイド溝は、前記係止突起と前記掛け止め部との位置合わせを行わせるように延在していることを特徴とする請求項５に記載のキャップ付き筆記具。
【請求項７】
前記ベース部には、前記キャップを軸線方向に案内するキャップ案内部と、前記中芯を前記軸線方向に案内する中芯案内部と、が前後に設けられていることを特徴とする請求項１〜６の何れか一項に記載のキャップ付き筆記具。
【発明の詳細な説明】
【技術分野】
【０００１】
本発明は、キャップの紛失を防止するようにした筆記具に関するものである。
【背景技術】
【０００２】
従来、このような分野の技術として、特開２００７−２０３６８２号公報がある。この公報に記載された筆記具は、蛍光ペンであり、ノック機構によって中芯の出没を可能にしている。中芯の先端部には、軸線方向に移動自在なエアータイトスリーブが装着され、このエアータイトスリーブの前端には、ヒンジを介して着脱自在な蓋体が設けられている。この蓋体には、三角形状の係止部が設けられ、この係止部は、軸筒に形成されたストッパに当たることで、軸筒の窓部内に挿入可能である。このような筆記具にあっては、中芯がノック機構により前進させられると、中芯と一緒にエアータイトスリーブも前進し、エアータイトスリーブに設けられた蓋部の係止部がストッパに当たることで係止部が窓部内に入り込む。このとき、エアータイトスリーブの移動がストップさせられるが、中芯の前進は続いているので、蓋部が開放されながら中芯の先端が軸筒の先端から突出することになる。このような筆記具では、キャップを用いずに中芯のエアータイトを可能にしている。
【先行技術文献】
【特許文献】
【０００３】
【特許文献１】特開２００７−２０３６８２号公報
【発明の概要】
【発明が解決しようとする課題】
【０００４】
前述した筆記具は、キャップの紛失を防止する構成にはなっているが、中芯を出没させるためのノック機構を必要とし、筆記具自体の構造を複雑化するといった問題点がある。
【０００５】
本発明は、キャップの紛失防止を図る上で構造の簡素化を可能にした筆記具を提供することを目的とする。
【課題を解決するための手段】
【０００６】
本発明は、軸線方向に延在する中芯が設けられた筆記具において、
中芯の後端に着脱自在に取り付けられたスライダと、
スライダが軸線方向に摺動自在に装着されたベース部と、
ベース部に対して軸線方向に移動自在に連結されたカバー部と、
カバー部の前端側に固定されたキャップと、
スライダに一端が固定されて、カバー部に他端が固定されると共に、ベース部の後端側に設けられた滑り部に途中が折り返されるように掛けられた架渡し部と、を備えたことを特徴とする。
【０００７】
このキャップ付き筆記具においては、キャップの紛失防止を図るためにカバー部にキャップが固定されている。そして、中芯にキャップが嵌められた状態で、軸線に沿ってカバー部を前方に向かって移動させると、カバー部に固定されたキャップも前方に一緒に移動する。このとき、架渡し部の一端がスライダに固定されて、架渡し部の他端がカバー部に固定され、架渡し部の途中が折り返されるように、ベース部の後端側に設けられた滑り部に掛けられているので、中芯に取り付けられたスライダが架渡し部を介して後退させられることになる。これによって、中芯からキャップを外すことができる。従って、定滑車のロープにように機能する架渡し部を採用すると、キャップの前進に同期して中芯をも後退させることができるので、中芯からキャップを外すにあたってのキャップの移動量を半分にすることができる。その結果として、カバー部の少ない移動量で中芯からキャップを素早く外すことができる。そして、このような構成は、キャップの紛失防止を図るにあたって構造の簡素化をも達成させている。
【０００８】
また、スライダの後端を前方に向かって付勢するバネ部材を備える。
このような構成を採用すると、中芯からキャップを外す際に後退し続ける中芯によって、バネ部材に弾性力が蓄積される。そして、中芯からキャップが外れた後にキャップを軸線上から外すように退避させた状態にして、指をカバー部から離すと、バネ部材の付勢力によって中芯を自動的に前方に押し出すことができる。それと同期して、架渡し部によるスライダとカバー部との連動によって、カバー部を自動的に後退させることができる。よって、バネ部材の利用により、カバー部から指を離すだけで中芯を容易且つ迅速に筆記状態にすることができる。
【０００９】
また、バネ部材は、圧縮コイルバネとして構成され、架渡し部は圧縮コイルバネ内に挿入されて滑り部に掛けられている。
このような構成は、圧縮コイルバネ内のスペースの有効活用を図ることができ、これによって、スライダの後方に圧縮コイルバネと架渡し部を効率良く配置させることができ、筆記具のスリム化を達成させている。
【００１０】
また、ベース部の後端側には、軸線に対して直交する方向に突出する軸部が設けられ、カバー部の後端側には、軸線方向に延在して軸部が挿入される長溝が設けられ、長溝は、キャップの着脱に供するようにカバー部を軸線方向に案内するキャップ着脱領域と、キャップ着脱領域の後端に位置して軸部を中心にカバー部を回動させるキャップ揺動部と、長溝の全長に渡って延在してカバー部を軸線に対して所定角度をもって進退させるキャップ傾動領域と、を有する。
このような長溝を採用することで、キャップの着脱動作と退避動作とを一連の指動作で行わせることができる。
【００１１】
また、ベース部には、キャップに設けられたガイド突起を案内するガイド溝が形成され、ガイド溝は、前端側に向かって軸線方向に延在する第１のガイド溝と、一端側で第１のガイド溝の前端に連通して、軸線から離間する方向に延在する第２のガイド溝と、第２のガイド溝の他端側に連通すると共に、後端側に向かって軸線方向に延在する第３のガイド溝と、を有する。
このような構成によると、キャップ自体を直接ガイドさせることができので、キャップ及びカバー部の移動軌跡を安定させることができる。
【００１２】
また、スライダには軸線に対して直交する方向に突出する係止突起が設けられ、カバー部には、スライダが最前位置で係止突起に引っ掛かる掛け止め部が設けられ、ガイド溝は、第３のガイド溝の後端側に連通する第４のガイド溝を有し、第４のガイド溝は、係止突起と掛け止め部との位置合わせを行わせるように延在している。
このような構成を採用すると、キャップの退避動作の最終で中芯を確実に筆記状態に維持させることができ、しかも、中芯交換の際にスライダの動きを規制させることもでき、中芯交換を容易ならしめている。
【００１３】
また、ベース部には、キャップを軸線方向に案内するキャップ案内部と、中芯を軸線方向に案内する中芯案内部と、が前後に設けられている。
このような構成を採用すると、キャップ及び中芯を確実に軸線方向に案内することができ、これによって、キャップと中芯との位置合わせを確実なものとし、キャップの確実な着脱が可能になる。
【発明の効果】
【００１４】
本発明によれば、キャップの紛失防止を図る上で構造の簡素化を可能にしている。
【図面の簡単な説明】
【００１５】
【図１】本発明に係るキャップ付き筆記具の一実施形態を示す分解斜視図である。
【図２】ベース部を示す斜視図である。
【図３】ベース部を示す図である。
【図４】カバー部を示す斜視図である。
【図５】カバー部を示す図である。
【図６】スライダを示す斜視図である。
【図７】キャップを示す図である。
【図８】本発明に係るキャップ付き筆記具の縦断面図である。
【図９】(ａ)はキャップが前進した状態、(ｂ)はキャップが上昇した状態を示す断面図である。
【図１０】(ａ)はキャップが更に上昇した状態、(ｂ)はキャップが後退した状態、(ｃ)は中芯の筆記状態を示す断面図である。
【図１１】(ａ)は中芯の格納状態、(ｂ)はキャップが前進した状態、(ｃ)はキャップが上昇した状態、(ｄ)はキャップが更に上昇した状態、(ｅ)はキャップが後退した状態、(ｆ)は中芯の筆記状態を示す右側面図である。
【図１２】図１１の(ａ)〜(ｆ)に対応する左側面図である。
【図１３】図１１の(ａ)〜(ｆ)に対応する斜視図である。
【図１４】本発明に係るキャップ付き筆記具を適用した多芯筆記具の分解斜視図である。
【図１５】組立て後の多芯筆記具を示す斜視図である。
【発明を実施するための形態】
【００１６】
以下、図面を参照しつつ本発明に係るキャップ付き筆記具の好適な実施形態について詳細に説明する。なお、ペン先側を「前方側」として以下説明する。
【００１７】
図１に示されるように、キャップ付き筆記具１は、蛍光マーカーの中芯２の後端に着脱自在に取り付けられるスライダ３と、スライダ３が軸線Ｌ方向に摺動自在に装着されるベース部４と、ベース部４に対して軸線Ｌ方向に移動自在に連結されたカバー部５と、カバー部５の前端側に固定されたキャップ６と、スライダ３に一端が固定されて、カバー部５に他端が固定されると共に、ベース部４の後端側に突出して設けられた滑り部４ａに途中が折り返されるように可撓性をもって掛けられる帯状の架渡し部７と、スライダ３を後方から付勢する圧縮コイルバネ（バネ部材）８と、を備えている。
【００１８】
図１〜図３に示されるように、ベース部４は、軸線Ｌ方向に延在する断面Ｖ字状の本体部ＢＳを有し、本体部ＢＳは、軸線Ｌ方向に延在すると共に軸線Ｌに対して直交する方向で外方に膨出するように、第１の長板部４Ａと第２の長板部４Ｂとで断面Ｖ字状に形成されている。第１及び第２の長板部４Ａ，４Ｂには、中芯２のインク収容部２ａを軸線Ｌ方向に摺動案内する中芯案内部１１と、キャップ６を軸線Ｌ方向に摺動案内するキャップ案内部１０と、が形成されている。
【００１９】
そして、前側に位置するキャップ案内部１０は、第１及び第２の長板部４Ａ，４Ｂからそれぞれ突出する二枚一組の突片１０ａ，１０ｂからなり、突片１０ａ，１０ｂは、キャップ６の外周面を挟んで摺接させるようにベース部４に立設されている。また、後側に位置する中芯案内部１１は、第１及び第２の長板部４Ａ，４Ｂからそれぞれ突出する二枚一組の突片１１ａ，１１ｂからなり、突片１１ａ，１１ｂは、中芯２のインク収容部２ａの外周面を挟んで摺接させるようにベース部４に立設されている。このようなキャップ案内部１０及び中芯案内部１１を採用すると、キャップ６及び中芯２を確実に軸線Ｌ方向に案内することができ、これによって、キャップ６と中芯２との位置合わせを確実なものとし、キャップ６の確実な着脱が可能になる。
【００２０】
第２の長板部４Ｂには、軸線Ｌ方向に延在するスライダ案内溝１２が形成され、スライダ３には、スライダ案内溝１２内に挿入されるスライド突起３ａ（図６参照）が形成されている。ベース部４の前側には、キャップ６に設けられたガイド突起６ａ（図７参照）を案内するガイド溝１３が形成され、このガイド溝１３は、第１の長板部４Ａから第２の長板部４Ｂに渡ってＪ字状に延在されている。
【００２１】
図１、図４及び図５に示されるように、カバー部５は、軸線Ｌ方向に延在すると共に、軸線Ｌに対して直交する方向で外方に膨出するような形状を有している。キャップ６をカバー部５に固定するために、カバー部５の前側には、キャップ６に設けられた凸部６ｂを嵌合させるための差込み穴５ａが形成されている。そして、キャップ６が一定以上ガタ付いた際のガタ付き量を抑えるために、キャップ６は、カバー部５に形成されたＴ字状の支持部５ｂに対して突き当て可能になっている。キャップ６の移動時のガタ付き量抑制対策は、キャップ６の外周面をカバー部５の内面やベース部４の内面に摺接させることにより達成される。
【００２２】
また、カバー部５の後部には、軸線Ｌ方向に延在する長溝１４が形成され、この長溝１４内には、ベース部４の第１の長板部４Ａの後端側で軸線Ｌに対して直交する方向に突出する軸部４ｂが挿入される。この軸部４ｂの頂部には、長溝１４からの抜けを防止するためのヘッド部４ｃが形成されている。このヘッド部４ｃは、組立て時に長溝１４内への挿入を可能にするために中央に縦割りスリットが形成されている。
【００２３】
カバー部５の後部には、長溝１４の前端近傍に位置し、可撓性を有する帯状の架渡し部７の一端を引っ掛けるためのフック部５ｃが形成されている。スライダ３には、架渡し部７の他端を引っ掛けるためのフック部３ｂ（図６参照）が形成されている。そして、帯状の架渡し部７の途中は、ベース部４の第２の長板部４Ｂの後端側に設けられた滑り部４ａに折り返されるように掛けられ、架渡し部７は、軸線Ｌに対して直交する方向に突出する滑り部４ａの曲面４ｇに沿って滑らかに摺動する。これによって、架渡し部７を介してカバー部５とスライダ３とを確実に連動させることができる。また、カバー部５の外面には、平面視でＨ形をなし側面視で山形に形成されて、親指の引っ掛かりを確実にするための操作部５ｄが形成されている。
【００２４】
図１及び図６に示されるように、ベース部４の後部には、圧縮コイルバネ８の後端を支持するための台座部４ｄが設けられ、台座部４ｄには、圧縮コイルバネ８の中空部８ａに合致する位置に開口部４ｅが形成されている。圧縮コイルバネ８の前端は、スライダ３に設けられた台座部３ｃによって支持されている。圧縮コイルバネ８によりスライダ３の後端は前方に向かって付勢される。そして、スライダ３には、台座部３ｃを囲むようにして、断面Ｕ字状の起立部３ｄが形成されている。
【００２５】
スライダ３には、台座部３ｃから軸線Ｌ方向に延在するスライダ案内片３ｅが設けられている。このスライダ案内片３ｅには、架渡し部７を引っ掛けるためのフック部３ｂが形成されている。スライダ案内片３ｅは、ベース部４の台座部４ｄに設けられた半円状の開口部４ｅ内に挿入され、開口部４ｅ内でスライダ案内片３ｅが摺動することで、スライダ３を軸線Ｌ方向に確実に移動させることができる。
【００２６】
さらに、開口部４ｅ内には架渡し部７が挿入され、この架渡し部７は、圧縮コイルバネ８の中空部８ａを通ってフック部３ｂに引っ掛けられている。このような構成は、圧縮コイルバネ内のスペースの有効活用を図ることができ、これによって、スライダ３の後方に圧縮コイルバネ８と架渡し部７を効率良く配置させることができ、筆記具１のスリム化を達成させている。また、スライダ３の先端には、中芯２のインク収容部２ａの底蓋２ｃ(図８参照)に圧入される差込み凸部３ｆが設けられ、この差込み凸部３ｆにより、スライダ３と中芯２とを着脱自在に連結させている。
【００２７】
図７に示されるように、キャップ６は、一端が開放され他端が閉鎖された円筒状のキャップ本体６Ａと、キャップ本体６Ａの周面から接線方向に突出して、ベース部４のガイド溝１３内に挿入されるガイド突起６ａと、キャップ本体６Ａの周面から径方向に突出してキャップ６をカバー部５に固定するための凸部６ｂと、で構成されている。この凸部６ｂは軸線Ｌ方向に二分割されている。
【００２８】
図８に示されるように、筆記具１における中芯２の格納状態にあって、中芯２は、ベース部４とカバー部５とで構成された軸筒内に格納され、この状態で、中芯２のチップ部２ｂは、キャップ本体６Ａ内に気密状態で収容されている。また、中芯２のインク収容部２ａの後端には、スライダ３の差込み凸部３ｆが嵌合されている。このスライダ３は、圧縮コイルバネ８によって付勢され、スライダ３のスライダ案内片３ｅはベース部４の開口部４ｅ内に挿入されている。
【００２９】
そして、架渡し部７は、スライダ案内片３ｅと一緒に開口部４ｅ内に挿入された状態で、圧縮コイルバネ８内を通って延在し、架渡し部７の一端は、スライダ３のフック部３ｂに引っ掛けられ、架渡し部７の他端は、カバー部５のフック部５ｃに引っ掛けられている。帯状の架渡し部７の途中は、フック部３ｂ，５ｃの後方で、ベース部４の滑り部４ａの曲面４ｇに折り返されるように掛けられ、架渡し部７は、滑り部４ａの曲面４ｇに沿って滑らかに摺動する。架渡し部７を採用することで、中芯２とカバー部５とを連動させることができる。
【００３０】
また、圧縮コイルバネ８を採用することで、中芯２からキャップ６を外す際に、後退し続ける中芯２によって圧縮コイルバネ８に弾性力が蓄積される。そして、中芯２からキャップ６が外れた後に、キャップ６を軸線Ｌ上から外すように退避させた状態にして、指をカバー部５から離すと、圧縮コイルバネ８の付勢力によって中芯２を自動的に前方に押し出すことができる。それと同期して、架渡し部７によるスライダ３とカバー部５との連動によって、カバー部５を自動的に後退させることができる。よって、圧縮コイルバネ８の利用により、カバー部５から指を離すだけで中芯２を容易且つ迅速に筆記状態にすることができる。
【００３１】
図５及び図１１(ａ)に示されるように、カバー部５に形成された長溝１４には、ベース部４の軸部４ｂが挿入されている。この長溝１４は、キャップ６の着脱に供するようにカバー部５を軸線Ｌ方向に案内するキャップ着脱領域Ｓ１と、キャップ着脱領域Ｓ１の後端に位置して軸部４ｂを中心にカバー部５を回動させるキャップ揺動部Ｓ２と、長溝１４の全長に渡って延在してカバー部５を軸線Ｌに対して所定角度（例えば約５度）をもって進退させるキャップ傾動領域Ｓ３と、を有する。このような長溝１４を採用することで、キャップ６の着脱動作と退避動作とを一連の指動作で行わせることができる。
【００３２】
図１〜図３及び図１０に示されるように、ベース部４に形成されたガイド溝１３には、キャップ６に設けられたガイド突起６ａが挿入されている。このガイド溝１３は、前端側に向かって軸線Ｌ方向に延在する第１のガイド溝１３ａと、一端側で第１のガイド溝１３ａの前端に連通して、軸線Ｌから離間する方向に延在する「く」の字状の第２のガイド溝１３ｂと、第２のガイド溝１３ｂの他端側に連通すると共に、後端側に向かって軸線Ｌ方向に延在する第３のガイド溝１３ｃと、を有する。
【００３３】
第１のガイド溝１３ａと第３のガイド溝１３ｃとは互いに平行に延在し、ガイド溝１３は、キャップ６の移動範囲内で、ベース部４の前側でＪ字状に形成されている。さらに、ガイド溝１３には、第３のガイド溝１３ｃの後端側に連通する第４のガイド溝１３ｄが形成されている。このような構成によると、キャップ６自体を直接ガイドさせることができるので、ガイド溝１３と長溝１４との協働によって、ベース部４の軸部４ｂを中心としたキャップ６及びカバー部５の移動軌跡を安定させることができる。
【００３４】
図１に示されるように、スライダ３には軸線Ｌに対して直交する方向に突出する係止突起３ｇが設けられ、カバー部５の長辺(軸線Ｌ方向に延在する辺)には、スライダ３が最前位置で係止突起３ｇに引っ掛かる切込み部（掛け止め部）５ｅが設けられている。そして、第４のガイド溝１３ｄは、係止突起３ｇと切込み部５ｅとの位置合わせを行わせるように、第３のガイド溝１３ｃの後端側から軸線Ｌに向かって段状をなして延在している。このような構成を採用すると、キャップ６の退避動作の最終で中芯２を確実に筆記状態に維持させることができる。しかも、中芯２の交換の際にスライダ３の動きを規制させることもでき、中芯２の交換を容易ならしめている。
【００３５】
次に、筆記具１の操作について説明する。
【００３６】
図８、図１１(ａ)、図１２(ａ)及び図１３(ａ)に示されるように、中芯２は、ベース部４とカバー部５とで構成された軸筒内に格納されており、このとき、中芯２のチップ部２ｂにはキャップ６が被せられ、チップ部２ｂの乾きを防止している。筆記具１を利用するにあたって、この状態で、操作部５ｄに親指を掛けてカバー部５を前方へ繰り出す。
【００３７】
図９(ａ)、図１１(ｂ)、図１２(ｂ)及び図１３(ｂ)に示されるように、キャップ６は中芯２のチップ部２ｂから離れる方向に移動する。このとき、キャップ６のガイド突起６ａは、第１のガイド溝１３ａを移動し、架渡し部７によってキャップ６の前進と同時に中芯２が後退する。そして、中芯２及びスライダ３の後退によって圧縮コイルバネ８が圧縮される。
【００３８】
図９(ｂ)、図１１(ｃ)、図１２(ｃ)及び図１３(ｃ)に示されるように、その後、親指でカバー部５を押し上げて、キャップ６を退避させる方向に移動させる。このとき、キャップ６のガイド突起６ａは、「く」の字状の第２のガイド溝１３ｂに沿って移動し、ベース部４の軸部４ｂを中心にカバー部５が回動する。そして、図１０(ａ)、図１１(ｄ)、図１２(ｄ)及び図１３(ｄ)に示されるように、キャップ６のガイド突起６ａを第２のガイド溝１３ｂの終端まで移動させることで、カバー部５が最大限に開く。
【００３９】
その後、図１０(ｂ)、図１１(ｅ)、図１２(ｅ)及び図１３(ｅ)に示されるように、親指をカバー部５から離すと、圧縮コイルバネ８の付勢力によって中芯２を自動的に前方に突出させる。それと同時に、架渡し部７によるスライダ３とカバー部５との連動によって、カバー部５が自動的に後退する。このとき、キャップ６のガイド突起６ａは、第３のガイド溝１３ｃに沿って移動する。
【００４０】
そして、図１０(ｃ)、図１１(ｆ)、図１２(ｆ)及び図１３(ｆ)に示されるように、圧縮コイルバネ８の付勢力により、ガイド突起６ａが第４のガイド溝１３ｄ内に入り込み、カバー部５の切込み部５ｅにスライダ３の係止突起３ｇが嵌合する。これによって、スライダ３を筆記状態に保持させ、筆圧によって中芯２が後退することがない。また、スライダ３の動きが規制されているこの状態にあっては、中芯２を前方に引き抜くと、中芯２を交換することができる。
【００４１】
筆記完了後、中芯２を格納するにあたって、先ず、カバー部５の操作部５ｄに親指を当て、カバー部５を前方に繰り出す。このとき、キャップ６のガイド突起６ａが、第３及び第４のガイド溝１３ｃ，１３ｄに沿って移動し、架渡し部７によるスライダ３とカバー部５との連動によって、中芯２が自動的に後退すると同時に、圧縮コイルバネ８が圧縮される。
【００４２】
その後、親指でカバー部５を押し下げて、ベース部４の軸部４ｂを中心にカバー部５を回動させる。このとき、キャップ６のガイド突起６ａは、「く」の字状の第２のガイド溝１３ｂに沿って移動する。そして、最終的に、カバー部５から親指を離すことで、圧縮コイルバネ８の付勢力によってスライダ３が前進し、それと同時に、架渡し部７によるスライダ３とカバー部５との連動によって、カバー部５が自動的に後退する。このとき、キャップ６のガイド突起６ａは、第１のガイド溝１３ａに沿って移動し、圧縮コイルバネ８の付勢力によって、中芯２のチップ部２ｂを覆うようにキャップ６が確実に中芯２に装着される。
【００４３】
前述した筆記具１においては、キャップ６の紛失防止を図るためにカバー部５にキャップ６が固定されている。そして、中芯２にキャップ６が嵌められた状態で、カバー部５を軸線Ｌに沿って前方に向かって移動させると、カバー部５に固定されたキャップ６も前方に一緒に移動する。このとき、架渡し部７の一端がスライダ３に固定されて、架渡し部７の他端がカバー部５に固定され、架渡し部７の途中が折り返されるように、ベース部４の後端側に設けられた滑り部４ａに掛けられているので、中芯２に取り付けられたスライダ３が架渡し部７を介して後退させられることになる。これによって、中芯２からキャップ６を外すことができる。
【００４４】
従って、定滑車のロープにように機能する架渡し部７を採用すると、キャップ６の前進に同期して中芯２をも後退させることができるので、中芯２からキャップ６を外すにあたってのキャップ６の移動量を半分にすることができる。その結果として、カバー部５の少ない移動量で中芯２からキャップ６を素早く外すことができる。そして、このような構成は、キャップ６の紛失防止を図るにあたって構造の簡素化をも達成させている。
【００４５】
次に、前述した筆記具１を利用した多芯筆記具２０について説明する。
【００４６】
図１４に示されるように、多芯筆記具２０に利用される単芯の筆記具１はそれぞれ異なる色のインクが充填されている以外は、同一の構造である。各筆記具１のベース部４の裏面は、長方形の第１の面Ａと第２の面Ｂとで１２０度の開き角度をもった断面略Ｖ字状の合わせ面２１になっている。
【００４７】
合わせ面２１の第１の面Ａには、軸線Ｌ方向で対をなす爪部２２ａ，２２ｂが立設され、一方の爪部２２ａと他方の爪部２２ｂとの間には位置決め凸部２３が立設されている。合わせ面２１の第２の面Ｂには、隣接する筆記具１に設けられた爪部２２ａ，２２ｂが係止される引掛け孔２４ａ，２４ｂが形成され、一方の引掛け孔２４ａと他方の引掛け孔２４ｂとの間には、隣接する筆記具１に設けられた位置決め凸部２３が挿入される位置決め孔２５が形成されている。
【００４８】
多芯筆記具２０を構成する各筆記具１は同一の構成を有し、多芯筆記具２０は、一方の筆記具１の合わせ面２１の第１の面Ａと、隣接する他方の筆記具１の合わせ面２１の第２の面Ｂとを合わせるようにして組み立てられる。このとき、各爪部２２ａ，２２ｂを引掛け孔２４ａ，２４ｂで係止させ、各位置決め凸部２３を位置決め孔２５内に挿入させることで、各筆記具１にズレが起こることなく、図１５に示されるような多芯筆記具２０を確実に組み立てることができる。
【００４９】
この多芯筆記具２０は、筆記具１毎に独立しており、多芯筆記具２０における中芯２の出し入れ操作は、単芯の筆記具１毎に行われるので、その説明は省略する。また、多芯筆記具２０において各カバー部５の色をインクの色に対応させ、または、カバー部５を透明にすることで、多芯筆記具２０における配色の識別性を高めることができ、利用の便に供する。
【００５０】
本発明は、前述した実施形態に限定されず、本発明の要旨を逸脱しない範囲で種々の変形が可能である。
【００５１】
例えば、ガイド溝１３及び長溝１４は、開口であっても凹状であってもよい。バネ部材として、圧縮コイルバネ８以外に板バネの適用も可能である。架渡し部７は、帯状に限らず、線状であってもよい。
【００５２】
本発明に係る筆記具としては、例えば、乾燥し易いインクを有する油性マーカー、ボードマーカー、水性マーカー、水性ボールペンなどへの適用が可能である。
【符号の説明】
【００５３】
１…キャップ付き筆記具  ２…中芯  ３…スライダ  ３ｇ…係止突起  ４…ベース部  ４ａ…滑り部  ４ｂ…軸部  ５…カバー部  ５ｅ…切込み部(掛け止め部)  ６…キャップ  ６ａ…ガイド突起  ７…架渡し部  ８…圧縮コイルバネ(バネ部材)  １０…キャップ案内部  １１…中芯案内部  １３…ガイド溝  １３ａ…第１のガイド溝  １３ｂ…第２のガイド溝  １３ｃ…第３のガイド溝  １３ｄ…第４のガイド溝  １４…長溝  ２０…多芯筆記具  Ｌ…軸線  Ｓ１…キャップ着脱領域  Ｓ２…キャップ揺動部  Ｓ３…キャップ傾動領域
【図１】
0005923345.tif 000002
【図２】
0005923345.tif 000003
【図３】
0005923345.tif 000004
【図４】
0005923345.tif 000005
【図５】
0005923345.tif 000006
【図６】
0005923345.tif 000007
【図７】
0005923345.tif 000008
【図８】
0005923345.tif 000009
【図９】
0005923345.tif 000010
【図１０】
0005923345.tif 000011
【図１１】
0005923345.tif 000012
【図１２】
0005923345.tif 000013
【図１３】
0005923345.tif 000014
【図１４】
0005923345.tif 000015
【図１５】
0005923345.tif 000016